(57)【特許請求の範囲】
【請求項１】
走行床面（２０）に最も近い前方延伸状第１棚部（１）と、
該第１棚部（１）の後方へ延伸状に隣設された下から２番目の第２棚部（２）と、
前壁と左右側壁と後壁と底壁を有する上方開口状籠型であって、下から３番目の前方延伸状籠部（３）と、
上記籠部（３）の上記後壁を形成すると共に、下辺が枢支されて上辺が前後に揺動する傾動壁部（４）の中間高さ位置から前方へ延設された、下から４番目のかご載せ突部（４ｃ）と、
を備えたことを特徴とするショッピングカート。
【請求項２】
上記傾動壁部（４）は、幼児シートに兼用可能であって、その中間高さから後方へ延設された座部（４ｂ）を有し、前方へ揺動した傾斜状態で、後方へ顔を向けて座った幼児の背中を支持する背部（４ａ）に用いられる請求項１記載のショッピングカート。
【請求項３】
後キャスタ（６）を下端に有する略鉛直状第１パイプ部（１１）と、前方上傾状第２パイプ部（１２）と、後方上傾状であって後端にグリップ部（１５）を有する第３パイプ部（１３）と、を有するジグザグ形状の左右１対の側方支持杆体（１０）（１０）を、備え、
上記第１棚部（１）は、上記第１パイプ部（１１）から前方延伸状に付設され、かつ、前端に前キャスタ（５）が付設され、
上記第２棚部（２）は、上記第２パイプ部（１２）から前方及び後方に延伸状に付設され、
上記籠部（３）は、上記第３パイプ部（１３）から前方延伸状に付設されている請求項１又は２記載のショッピングカート。
【発明の詳細な説明】
【技術分野】
【０００１】
本発明は、ショッピングカートに関する。
【背景技術】
【０００２】
従来、買い物かごを複数個載せることができるショッピングカートとして、上段と下段のそれぞれに買い物かごを載せることができるものが知られている（特許文献１参照）。
【先行技術文献】
【特許文献】
【０００３】
【特許文献１】特開平１１−９１５７６号
【発明の概要】
【発明が解決しようとする課題】
【０００４】
しかし、特許文献１記載の、従来のショッピングカートは、全長が長く、取り回しが悪いため、スーパーマーケット内での接触事故が起こりやすい欠点があった。特に、買い物かごを４個載せている場合、その重量により、慣性モーメントが大きくなり、制御が一層困難になるという欠点があった。
【０００５】
そこで、本発明は、コンパクトでありながら買い物かごを４個載せることができ、しかも、買い物かごを４個載せている場合でも、全体の重心が車体の中心近くに配分され、取り回しがよく、接触事故の虞が少なく、また、買い物かごを３個載せている場合には、幼児１名を乗せることができるショッピングカートを提供することを目的とする。
【課題を解決するための手段】
【０００６】
本発明に係るショッピングカートは、走行床面に最も近い前方延伸状第１棚部と、該第１棚部の後方へ延伸状に隣設された下から２番目の第２棚部と、前壁と左右側壁と後壁と底壁を有する上方開口状籠型であって、下から３番目の前方延伸状籠部と、上記籠部の上記後壁を形成すると共に、下辺が枢支されて上辺が前後に揺動する傾動壁部の中間高さ位置から前方へ延設された、下から４番目のかご載せ突部と、を備えたものである。
【０００７】
また、上記傾動壁部は、幼児シートに兼用可能であって、その中間高さから後方へ延設された座部を有し、前方へ揺動した傾斜状態で、後方へ顔を向けて座った幼児の背中を支持する背部に用いられるものである。
【０００８】
また、後キャスタを下端に有する略鉛直状第１パイプ部と、前方上傾状第２パイプ部と、後方上傾状であって後端にグリップ部を有する第３パイプ部と、を有するジグザグ形状の左右１対の側方支持杆体を、備え、上記第１棚部は、上記第１パイプ部から前方延伸状に付設され、かつ、前端に前キャスタが付設され、上記第２棚部は、上記第２パイプ部から前方及び後方に延伸状に付設され、上記籠部は、上記第３パイプ部から前方延伸状に付設されているものである。
【発明の効果】
【０００９】
本発明のショッピングカートによれば、買い物かご４個をコンパクトに積載できる。そして、買い物かごを４個載せている場合でも、取り回しがよく、楽に走行でき、接触事故の虞を少なくできる。また、買い物かごを３個載せている場合には、幼児１名を乗せることができる。
【図面の簡単な説明】
【００１０】
【図１】本発明のショッピングカートの実施形態を示す斜視図である。
【図２】本発明のショッピングカートの実施形態を示す側面図である。
【図３】買い物かごを４個載せた状態を示す側面図である。
【図４】買い物かごを４個載せた状態を示す斜視図である。
【発明を実施するための形態】
【００１１】
以下、図示の実施の形態に基づき本発明を詳説する。
図１〜図４は、本発明のショッピングカートの実施の一形態を示す。このショッピングカートは、走行床面２０に最も近い前方延伸状第１棚部１と、該第１棚部１の後方へ延伸状に隣設された下から２番目の第２棚部２と、前壁と左右側壁と後壁と底壁を有する上方開口状籠型であって、下から３番目の前方延伸状籠部３と、上記籠部３の上記後壁を形成すると共に、下辺が枢支されて上辺が前後に揺動する傾動壁部４の中間高さ位置から前方へ延設された、下から４番目のかご載せ突部４ｃと、を備えている。
【００１２】
本発明のショッピングカートは、ジグザグ形状の左右１対の側方支持杆体１０，１０を、備えている。
各側方支持杆体１０は、後キャスタ６を下端に有する略鉛直状第１パイプ部１１と、前方上傾状第２パイプ部１２と、後方上傾状であって後端にグリップ部１５を有する第３パイプ部１３と、を有する。また、１７は、前方延伸パイプ部であって、第１パイプ部１１に連設される。また、この前方延伸パイプ部１７は、平面視略コの字型であって、前端に２個の前キャスタ５，５が付設される。
【００１３】
第１棚部１は、上記第１パイプ部１１に連設された上記前方延伸パイプ部１７と、そのパイプ部１７に一体に設けた杆材１８から、構成される。この杆材１８は、前端に向かって緩やかに傾斜しており、前方延伸パイプ部１７よりも、（側面視で）部分的に下方位置に在り、第１棚部１の上に置かれた買い物かごが横すべりすることを、前方延伸パイプ部１７が阻止する役目をなしている。
第２棚部２は、上記第２パイプ部１２から後方延伸状に付設される。第２パイプ部１２が、第２棚部２上に置かれる買い物かごの横すべりを防止する。
籠部３は、第３パイプ部１３から前方延伸状に付設される。籠部３は、金属フレームを格子状に組み合わせて構成され、その底部は後方下傾状であり、籠部３は全体的に籠型として、籠部３上に置かれる買い物かごの左右側方への移動を防止する。また、籠部３の上縁部３ａは、走行床面２０と平行に設定される。
【００１４】
傾動壁部４は、幼児Ｐが座る幼児シートに兼用されるもので、座部４ｂと、かご載せ突部４ｃと、を有し、傾動壁部４自体が背部４ａとして用いられる。
かご載せ突部４ｃは、背部４ａから小寸法（籠部３の前方向に向かって）突出しており、折りたたんで４個目の買い物かごを乗せる際に使用する。
【００１５】
次に、図２〜図４は、本発明のショッピングカートに買い物かごＥを載せた状態を示す。図２、図３では、買い物かごＥを２点鎖線で示し、図４では実線で示す。
第１棚部１、第２棚部２、籠部３、に１つずつ買い物かごＥを載せた状態では、傾動壁部４を展開して、座部４ｂに幼児Ｐを座らせ、ショッピングカートを押しながら買い物中の幼児の保護者と対面した状態が維持できる。これにより、幼児Ｐは不安を感じることなく、幼児Ｐが不意に泣き出すことを防止でき、保護者は大きなストレスを感じることなく買い物を続けることが可能である。
【００１６】
幼児を同伴しない場合、または買い物中の幼児の世話を同伴者に頼める場合には、傾動壁部４をたたんで、図３，図４に示すように４個目の買い物かごＥを載せることができる。
この場合、かご載せ突部４ｃに買い物かごＥの一端を掛けて、もう一端を、３個目の買い物かごＥ、すなわち籠部３に載せた買い物かごＥの上面に載せる。籠部３の底面は後方に緩やかに傾斜しており、また籠部３の上縁部３ａは、走行床面２０と平行であるので、籠部３は後方に向かって深くなっている。このため、かご載せ突部４ｃに載せた４個目の買い物かごＥは、籠部３によって十分に横ずれが防止される。
【００１７】
図４に示すように、前方の２個の買い物かごＥは、縦置き、すなわち、買い物かごＥの長辺がショッピングカートの進行方向と平行になるように載置される。また、後方の２個の買い物かごＥは、横置き、すなわち、買い物かごＥの長辺がショッピングカートの進行方向と直角になるように載置される。
【００１８】
カートの重心位置の前後に２つずつの買い物かごＥが配置されるため、前後の重量バランスが良く、カートの操作、特に方向変換を小さな力で狭い場所でも行うことができ、衝突事故を回避できる。なお、使用時には、第１棚部１に１つめの買い物かごＥを置き、買い物が進むにつれて第２棚部２、籠部３、かご載せ突部４ｃの順序で買い物かごＥを追加していくこともでき、あるいは、使用者の好みに応じて順序を前後変更自在である。
【００１９】
本発明は、上述の実施形態に限定されず、例えば、第１棚部１、第２棚部２、籠部３の構造と形状は、変更自由であり、材質もプラスチック等を一部に利用可能である。
【００２０】
本発明は上述のように、走行床面２０に最も近い前方延伸状第１棚部１と、該第１棚部１の後方へ延伸状に隣設された下から２番目の第２棚部２と、前壁と左右側壁と後壁と底壁を有する上方開口状籠型であって、下から３番目の前方延伸状籠部３と、上記籠部３の上記後壁を形成すると共に、下辺が枢支されて上辺が前後に揺動する傾動壁部４の中間高さ位置から前方へ延設された、下から４番目のかご載せ突部４ｃと、を備えたので、買い物かごを４個載せることができ、しかもカート全体がコンパクトになり、取り回しが良いという利点がある。かつ、不使用状態で、多数のショッピングカートを狭い場所に集めることができる。
【００２１】
また、上記傾動壁部４は、幼児シートに兼用可能であって、その中間高さから後方へ延設された座部４ｂを有し、前方へ揺動した傾斜状態で、後方へ顔を向けて座った幼児の背中を支持する背部４ａに用いられるので、買い物かごを３個載せた状態では、傾動壁部４を展開して幼児を座らせ、ショッピングカートを押しながら買い物中の幼児の保護者と対面した状態が維持できる。
【００２２】
また、後キャスタ６を下端に有する略鉛直状第１パイプ部１１と、前方上傾状第２パイプ部１２と、後方上傾状であって後端にグリップ部１５を有する第３パイプ部１３と、を有するジグザグ形状の左右１対の側方支持杆体１０，１０を、備え、上記第１棚部１は、上記第１パイプ部１１から前方延伸状に付設され、かつ、前端に前キャスタ５が付設され、上記第２棚部２は、上記第２パイプ部１２から前方及び後方に延伸状に付設され、上記籠部３は、上記第３パイプ部１３から前方延伸状に付設されているので、買い物かごを４個載せることができ、カート全体がコンパクトになり、カートの操作、特に方向変換を小さな力で狭い場所でも行うことができ、衝突事故を回避できる。不使用状態の多数のショッピングカートを狭い空間にストックできる。
【符号の説明】
【００２３】
１  第１棚部
２  第２棚部
３  籠部
４  傾動壁部
４ａ  背部
４ｂ  座部
４ｃ  かご載せ突部
５  前キャスタ
６  後キャスタ
１０  側方支持杆体
１１  第１パイプ部
１２  第２パイプ部
１３  第３パイプ部
１５  グリップ部
２０  走行床面
【図１】
0006982342.tif 000002
【図２】
0006982342.tif 000003
【図３】
0006982342.tif 000004
【図４】
0006982342.tif 000005